(57)【要約】【課題】ディスプレイとキーパッドを一体に形成してディスプレイとキーパッド間を接続するＦＰＣを除去することにより、製造コストを低減でき、ディスプレイユニットの厚さを薄くすることができるディスプレイユニット及びこれを備える携帯端末機を提供する。【解決手段】ディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含む。【選択図】図２
2006330724.tif 000002
【特許請求の範囲】
【請求項１】
第１表面、第２表面、及び前記第１表面と前記第２表面間に配置される少なくとも１つ以上の側面から構成されるディスプレイと、
該ディスプレイの側面のうちいずれか一側面から長手方向に延長される基板と
を含むことを特徴とするディスプレイユニット。
【請求項２】
前記ディスプレイと前記基板が、一体に形成されることを特徴とする請求項１に記載のディスプレイユニット。
【請求項３】
前記各種部品が実装される基板の厚さが、前記ディスプレイの厚さより薄く形成されることを特徴とする請求項１に記載のディスプレイユニット。
【請求項４】
前記ディスプレイと前記基板が、１つのアセンブリとして製造されることを特徴とする請求項１に記載のディスプレイユニット。
【請求項５】
前記基板の前面に装着されるスイッチは、ケースの外部に露出するように配置されたキーボタンの押し動作により信号が入力されるスイッチであることを特徴とする請求項１に記載のディスプレイユニット。
【請求項６】
前記スイッチが、ドームスイッチであることを特徴とする請求項５に記載のディスプレイユニット。
【請求項７】
前記スイッチが、静電容量方式で信号が入力されるタッチセンサで構成されることを特徴とする請求項５に記載のディスプレイユニット。
【請求項８】
前記基板の背面には、ディスプレイ関連部品と、メインプリント基板に電気的に接続されるコネクタとが装着されることを特徴とする請求項１に記載のディスプレイユニット。
【請求項９】
前記ケースには、スイッチを押すキーボタンが外部に露出するように配置され、前記キーボタンは、前記ディスプレイから発光された光により照明されることを特徴とする請求項５に記載のディスプレイユニット。
【請求項１０】
前記キーボタンの下面には導光板が設置され、前記導光板は、前記ディスプレイの発光部材に接続されることを特徴とする請求項９に記載のディスプレイユニット。
【請求項１１】
前記ディスプレイと前記基板が、接続部材により電気的に接続されることを特徴とする請求項１に記載のディスプレイユニット。
【請求項１２】
メインプリント基板が内蔵される端末機本体と、該端末機本体に開閉可能に連結されるディスプレイユニットとから構成され、
前記ディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含むことを特徴とする携帯端末機。
【請求項１３】
前記ディスプレイと前記基板が、一体に形成されることを特徴とする請求項１２に記載の携帯端末機。
【請求項１４】
前記基板の厚さが、前記ディスプレイの厚さより薄く形成されることを特徴とする請求項１２に記載の携帯端末機。
【請求項１５】
前記ディスプレイと前記基板が、１つのアセンブリとして製造されることを特徴とする請求項１２に記載の携帯端末機。
【請求項１６】
前記基板の前面にはスイッチが装着され、前記スイッチは、ケースの外部に露出するように配置されたキーボタンの押し動作により信号が入力されることを特徴とする請求項１２に記載の携帯端末機。
【請求項１７】
前記スイッチが、ドームスイッチであることを特徴とする請求項１６に記載の携帯端末機。
【請求項１８】
前記スイッチが、静電容量方式で信号が入力されるタッチセンサで構成されることを特徴とする請求項１６に記載の携帯端末機。
【請求項１９】
前記基板の背面には、ディスプレイ関連部品と、前記メインプリント基板に電気的に接続されるコネクタとが装着されることを特徴とする請求項１２に記載の携帯端末機。
【請求項２０】
前記ケースには、スイッチを押すキーボタンが外部に露出するように配置され、前記キーボタンは、前記ディスプレイから発光された光により照明されることを特徴とする請求項１６に記載の携帯端末機。
【請求項２１】
前記キーボタンの下面には導光板が設置され、前記導光板は、前記ディスプレイの発光部材に接続されることを特徴とする請求項２０に記載の携帯端末機。
【請求項２２】
前記ディスプレイと前記基板が、接続部材により電気的に接続されることを特徴とする請求項１２に記載の携帯端末機。
【発明の詳細な説明】
【技術分野】
【０００１】
本発明は、携帯端末機に関し、特に、ディスプレイユニットの厚さを薄くすることでスリム化が実現できる携帯端末機に関する。
【背景技術】
【０００２】
図６は、従来の携帯端末機のディスプレイユニットの断面図である。
【０００３】
従来のディスプレイユニットは、前面がケース１１２の外部に露出するように配置されて情報を表示するディスプレイ１１４と、該ディスプレイ１１４の下側に配置されて情報を入力するキーパッドアセンブリ１１６と、ディスプレイ１１４とキーパッドアセンブリ１１６間を電気的に接続すると共に、ディスプレイ関連部品１１８が実装されるＦＰＣ１２０とから構成される。
【０００４】
キーパッドアセンブリ１１６は、ケース１１２の外部に露出するように配置されて押し動作を行うキーボタン１２２と、ＦＰＣ１２０が接続され、前面にキーボタン１２２の押し動作により信号が入力されるドームスイッチ１２４が装着され、背面には端末機本体に装着されるメインプリント基板（図示せず）に接続されるコネクタ１３６が装着される基板１２６とから構成される。
【０００５】
キーボタン１２２の下面には、キーボタン１２２の押し動作をドームスイッチ１２４に伝達するアクチュエータ１２８が形成されたパッド１３０が取り付けられる。
【０００６】
ＦＰＣ１２０は、ディスプレイ１１４の一端に接続され、ディスプレイ１１４の背面に曲げて配置され、その背面にはディスプレイ関連部品１１８と、基板１２６に接続されるコネクタ１３２とが装着される。
【０００７】
このような従来のディスプレイユニットは、ディスプレイ１１４の厚さ、ＦＰＣ１２０の厚さ、基板１２６の厚さ、コネクタ１３６の厚さを全部合わせた厚さＴ１がディスプレイユニットの厚さとなるため、ディスプレイユニットの厚さが増加し、これにより、端末機全体の厚さが増加するという問題があった。
【発明の開示】
【発明が解決しようとする課題】
【０００８】
本発明は、前述したような問題を解決するために提案されたもので、本発明の目的は、ディスプレイとキーパッドを一体に形成してディスプレイとキーパッド間を接続するＦＰＣを除去することにより、製造コストを低減でき、ディスプレイユニットの厚さを薄くすることができるディスプレイユニット及びこれを備える携帯端末機を提供することにある。
【課題を解決するための手段】
【０００９】
このような目的を達成するための本発明に係るディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含むことを特徴とする。
【００１０】
前記ディスプレイと前記基板は、一体に形成されることを特徴とする。
【００１１】
前記各種部品が実装される基板の厚さは、前記ディスプレイの厚さより薄く形成されることを特徴とする。
【００１２】
前記ディスプレイと前記基板は、１つのアセンブリとして製造されることを特徴とする。
【００１３】
前記基板の前面に装着されるスイッチは、ケースの外部に露出するように配置されたキーボタンの押し動作により信号が入力されるドームスイッチであることを特徴とする。
【００１４】
前記スイッチは、静電容量方式で信号が入力されるタッチセンサで構成されることを特徴とする。
【００１５】
前記基板の背面には、ディスプレイ関連部品と、メインプリント基板に電気的に接続されるコネクタとが装着されることを特徴とする。
【００１６】
前記ケースには、スイッチを押すキーボタンが外部に露出するように配置され、前記キーボタンは、前記ディスプレイから発光される光により照明されることを特徴とする。
【００１７】
前記キーボタンの下面には導光板が設置され、前記導光板は、前記ディスプレイの発光部材に接続されることを特徴とする。
【００１８】
前記ディスプレイと前記基板は、接続部材により電気的に接続されることを特徴とする。
【００１９】
本発明に係る携帯端末機は、メインプリント基板が内蔵される端末機本体と、該端末機本体に開閉可能に連結されるディスプレイユニットとから構成され、前記ディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含むことを特徴とする。
【００２０】
本発明に係る携帯端末機は、メインプリント基板が内蔵される端末機本体と、前記端末機本体に開閉可能に連結されるディスプレイユニットとから構成され、前記ディスプレイユニットは、ケースと、該ケースに装着されて情報を表示するディスプレイと、前面に信号を入力するスイッチが配置され、背面に前記メインプリント基板に接続されるコネクタが装着される基板と、前記ディスプレイの一端に接続され、前記ディスプレイと水平に配置され、表面にディスプレイ関連部品が実装され、前記基板に接続されるコネクタが装着される接続部材とから構成されることを特徴とする。
【００２１】
上記目的を達成するために、本発明は、例えば、以下を提供する。
（項目１）
第１表面、第２表面、及び前記第１表面と前記第２表面間に配置される少なくとも１つ以上の側面から構成されるディスプレイと、
該ディスプレイの側面のうちいずれか一側面から長手方向に延長される基板と
を含むことを特徴とするディスプレイユニット。
（項目２）
前記ディスプレイと前記基板が、一体に形成されることを特徴とする項目１に記載のディスプレイユニット。
（項目３）
前記各種部品が実装される基板の厚さが、前記ディスプレイの厚さより薄く形成されることを特徴とする項目１に記載のディスプレイユニット。
（項目４）
前記ディスプレイと前記基板が、１つのアセンブリとして製造されることを特徴とする項目１に記載のディスプレイユニット。
（項目５）
前記基板の前面に装着されるスイッチは、ケースの外部に露出するように配置されたキーボタンの押し動作により信号が入力されるスイッチであることを特徴とする項目１に記載のディスプレイユニット。
（項目６）
前記スイッチが、ドームスイッチであることを特徴とする項目５に記載のディスプレイユニット。
（項目７）
前記スイッチが、静電容量方式で信号が入力されるタッチセンサで構成されることを特徴とする項目５に記載のディスプレイユニット。
（項目８）
前記基板の背面には、ディスプレイ関連部品と、メインプリント基板に電気的に接続されるコネクタとが装着されることを特徴とする項目１に記載のディスプレイユニット。
（項目９）
前記ケースには、スイッチを押すキーボタンが外部に露出するように配置され、前記キーボタンは、前記ディスプレイから発光された光により照明されることを特徴とする項目５に記載のディスプレイユニット。
（項目１０）
前記キーボタンの下面には導光板が設置され、前記導光板は、前記ディスプレイの発光部材に接続されることを特徴とする項目９に記載のディスプレイユニット。
（項目１１）
前記ディスプレイと前記基板が、接続部材により電気的に接続されることを特徴とする項目１に記載のディスプレイユニット。
（項目１２）
メインプリント基板が内蔵される端末機本体と、該端末機本体に開閉可能に連結されるディスプレイユニットとから構成され、
前記ディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含むことを特徴とする携帯端末機。
（項目１３）
前記ディスプレイと前記基板が、一体に形成されることを特徴とする項目１２に記載の携帯端末機。
（項目１４）
前記基板の厚さが、前記ディスプレイの厚さより薄く形成されることを特徴とする項目１２に記載の携帯端末機。
（項目１５）
前記ディスプレイと前記基板が、１つのアセンブリとして製造されることを特徴とする項目１２に記載の携帯端末機。
（項目１６）
前記基板の前面にはスイッチが装着され、前記スイッチは、ケースの外部に露出するように配置されたキーボタンの押し動作により信号が入力されることを特徴とする項目１２に記載の携帯端末機。
（項目１７）
前記スイッチが、ドームスイッチであることを特徴とする項目１６に記載の携帯端末機。
（項目１８）
前記スイッチが、静電容量方式で信号が入力されるタッチセンサで構成されることを特徴とする項目１６に記載の携帯端末機。
（項目１９）
前記基板の背面には、ディスプレイ関連部品と、前記メインプリント基板に電気的に接続されるコネクタとが装着されることを特徴とする項目１２に記載の携帯端末機。
（項目２０）
前記ケースには、スイッチを押すキーボタンが外部に露出するように配置され、前記キーボタンは、前記ディスプレイから発光された光により照明されることを特徴とする項目１６に記載の携帯端末機。
（項目２１）
前記キーボタンの下面には導光板が設置され、前記導光板は、前記ディスプレイの発光部材に接続されることを特徴とする項目２０に記載の携帯端末機。
（項目２２）
前記ディスプレイと前記基板が、接続部材により電気的に接続されることを特徴とする項目１２に記載の携帯端末機。
【発明の効果】
【００２２】
本発明に係る携帯端末機は、ディスプレイと情報を入力するキーパッドの基板を直接接続して１つのアセンブリ形態に形成することにより、ディスプレイユニットの厚さを薄くすることができるため、端末機のスリム化が実現でき、ディスプレイユニットの組立工程を短縮して製造工程及び製造コストが低減できる。
【発明を実施するための最良の形態】
【００２３】
以下、図面に基づいて本発明に係る携帯端末機の実施形態を説明する。
【００２４】
本発明に係る携帯端末機の実施形態としては複数の実施形態が存在するが、以下、最も好ましい実施形態について説明する。
【００２５】
図１は、本発明に係る携帯端末機の第１実施形態の斜視図であり、図２は、本発明に係るディスプレイユニットの第１実施形態の断面図である。
【００２６】
本発明に係る携帯端末機は、前面にユーザが情報を入力するキーパッド１２が装着され、背面にバッテリ１４が装着される端末機本体１０と、該端末機本体１０に摺動可能に装着され、情報を表示するディスプレイ２２が取り付けられるディスプレイユニット２０とから構成される。
【００２７】
端末機本体１０の内部には、各種回路部品が実装されたメインプリント基板（図示せず）が内蔵され、前記メインプリント基板はディスプレイユニット２０に電気的に接続される。
【００２８】
図１及び図２において、ディスプレイユニット２０が端末機本体１０に対して摺動可能に装着されるスライド型の携帯端末機を示しているが、前記スライド型以外に、折り畳み型、ストレート型、スイベル型などの多様な種類の携帯端末機が適用できる。
【００２９】
ディスプレイユニット２０は、ケース２４と、該ケース２４に装着されて情報を表示するディスプレイ２２と、該ディスプレイ２２の一端に直接接続され、前面に情報を入力するスイッチ３０が設置され、背面にディスプレイ関連部品２６とメインプリント基板に接続されるコネクタ２８が装着される基板３２とから構成される。
【００３０】
ディスプレイ２２は、上部に配置される第１表面８０と、下部に配置される第２表面８２と、第１表面８０と第２表面８２間に配置される少なくとも１つ以上の側面８４とから構成される。
【００３１】
基板３２は、ディスプレイ２２の側面から長手方向に延長される。
【００３２】
さらに、基板３２としては、ハードタイプのプリント基板が適用でき、フレキシブル形態のＦＰＣタイプも適用できる。基板３２のタイプは、適用される端末機の種類によって、前記２つのタイプのうち１つを選択する。
【００３３】
ケース２４には、ユーザの押し動作によりスイッチ３０を直接押して信号を入力するキーボタン３６が外部に露出して配置される。また、スイッチ３０は、キーボタン３６の押し動作により信号が入力されるドームスイッチを使用することが好ましい。キーボタン３６の下面には、スイッチ３０を押すアクチュエータ４０が形成されたパッド３８が取り付けられる。
【００３４】
基板３２とディスプレイ２２は、一体に連結される１つのアセンブリとして製造される。すなわち、基板３２とディスプレイ２２が一体に製造された後、ケース２４の内部に組み立てられる。従って、基板３２とディスプレイ２２を別途に製造した後、コネクタにより接続する構造に比べて組立が簡便であり、製造コストを低減でき、さらに、誤組立の可能性が減少できる。
【００３５】
基板３２とディスプレイ２２は、同一平面上に水平に配置される。すなわち、ディスプレイ２２の一端と基板３２の一端が直接接続されて水平となる。
【００３６】
ここで、コネクタ２８及びディスプレイ関連部品２６が実装された基板３２の厚さは、ディスプレイ２２の厚さＴ２より薄くすることが好ましい。このように、ディスプレイ２２の厚さＴ２がディスプレイユニット２０の内部に装着される部品の全体の厚さとなるため、ディスプレイユニット２０の厚さを薄くすることができる。
【００３７】
基板３２とディスプレイ２２を接続し、基板３２の前面には導光板３４を設置する。また、ディスプレイ２２に設置されて該ディスプレイ２２を照明する発光部材（図示せず）から発生する光を導光板３４に拡散させることで、キーボタン３６を照明する。
【００３８】
ここで、キーボタン３６を照明するためにディスプレイ２２を照明する発光部材の光を利用するため、基板３２に別途の発光素子を設置する必要がなく、製造コストが低減できる。
【００３９】
このように構成される本発明に係る携帯端末機の第１実施形態の組立工程を説明すると、基板３２の前面にスイッチ３０を設置し、基板３２の背面にディスプレイ関連部品２６及びコネクタ２８を装着した後、基板３２をディスプレイ２２と一体に連結して１つのアセンブリにする。
【００４０】
また、基板３２の前面に導光板３４を設置し、導光板３４の一側をディスプレイ２２の発光部材に接続する。
【００４１】
このように、１つのアセンブリに組み立てられた基板３２とディスプレイ２２の組立体をケース２４に組み立てると、ディスプレイユニット２０の組立が完了する。
【００４２】
図３は、本発明に係るディスプレイユニットの第２実施形態の断面図である。
【００４３】
ディスプレイユニットの第２実施形態は、前記第１実施形態で説明したディスプレイユニットと構成が同様であるが、ただし、スイッチとして静電容量方式で作動するタッチセンサ５０が設置される点が異なる。
【００４４】
すなわち、ケース２４にはタッチ式で操作するタッチボタン５２が装着され、基板３２の前面には、タッチボタン５２をタッチすると静電容量方式で信号が入力されるタッチセンサ５０が設置される。
【００４５】
このようなディスプレイユニットの第２実施形態は、スイッチとしてタッチセンサ５０を使用するため、ドームスイッチのような突出部分がなく、突出部分の高さだけディスプレイユニットの厚さを薄くすることができる。
【００４６】
図４は、本発明に係るディスプレイユニットの第３実施形態の断面図であり、図５は、本発明に係るディスプレイユニットの第３実施形態の正面図である。
【００４７】
ディスプレイユニットの第３実施形態は、ケース２４と、該ケース２４に装着されて情報を表示するディスプレイ２２と、該ディスプレイ２２と同一水平面上に配置され、前面には情報を入力するタッチセンサ５０が設置され、背面にはメインプリント基板に接続されるコネクタ２８が装着される基板３２と、ディスプレイ２２の一端に連結され、該ディスプレイ２２と水平に配置され、表面にはディスプレイ関連部品６４が装着され、端部には基板３２に接続されるコネクタ６８が装着される接続部材６２とから構成される。
【００４８】
ここで、接続部材６２は、ＦＰＣで形成され、一端はディスプレイ２２に接着などの方法で固定され、他端にはコネクタ６８が装着されて基板３２に連結され、前面又は背面のうちいずれか一面にはディスプレイ関連部品６４が装着される。このような接続部材６２の厚さは、ディスプレイ２２の厚さより薄い。
【００４９】
基板３２は、前記第１実施形態又は第２実施形態で説明した基板のうちいずれか１つが適用できる。
【００５０】
ディスプレイとキーパッドを一体に形成してディスプレイとキーパッド間を接続するＦＰＣを除去することにより、製造コストを低減でき、ディスプレイユニットの厚さを薄くすることができるディスプレイユニット及びこれを備える携帯端末機を提供する。
【００５１】
ディスプレイユニットは、第１表面、第２表面、及び前記第１表面と前記第２表面間に配置される少なくとも１つ以上の側面から構成されるディスプレイと、該ディスプレイの側面のうちいずれか一側面から長手方向に延長される基板とを含む。
【００５２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００５３】
【図１】本発明に係る携帯端末機の第１実施形態の斜視図である。
【図２】本発明に係るディスプレイユニットの第１実施形態の断面図である。
【図３】本発明に係るディスプレイユニットの第２実施形態の断面図である。
【図４】本発明に係るディスプレイユニットの第３実施形態の断面図である。
【図５】本発明に係るディスプレイユニットの第３実施形態の正面図である。
【図６】従来の携帯端末機のディスプレイユニットの断面図である。
【符号の説明】
【００５４】
１０：端末機本体
１２：キーパッド
２０：ディスプレイユニット
２２：ディスプレイ
２４：ケース
２６：ディスプレイ関連部品
２８：コネクタ
３０：スイッチ
３２：基板
３４：導光板
【図１】
2006330724.tif 000003
【図２】
2006330724.tif 000004
【図３】
2006330724.tif 000005
【図４】
2006330724.tif 000006
【図５】
2006330724.tif 000007
【図６】
2006330724.tif 000008